(57)【要約】【課題】記録速度を低下させることなく、記録ヘッドから液体を吐出することに伴って発生するミストにより記録品質が低下することを抑制する。【解決手段】被記録媒体Ｐに対して往復移動してノズルＮから液体を吐出可能な記録ヘッド７と、ノズルＮが形成されるノズル形成面２０におけるノズルＮの非形成領域Ｒｎの少なくとも一部を覆うカバー部２２と、記録ヘッド７の往復移動範囲Ｒｈに設けられ、記録ヘッド７の往復移動に伴ってノズル形成面２０には非接触でカバー部２２をワイプ可能なワイパー１９と、を備える。【選択図】図５
2016137649.tif 000002
【特許請求の範囲】
【請求項１】
被記録媒体に対して往復移動してノズルから液体を吐出可能な記録ヘッドと、
前記ノズルが形成されるノズル形成面における前記ノズルの非形成領域の少なくとも一部を覆うカバー部と、
前記記録ヘッドの往復移動範囲に設けられ、前記記録ヘッドの往復移動に伴って前記ノズル形成面には非接触で前記カバー部をワイプ可能なワイパーと、
を備えることを特徴とする記録装置。
【請求項２】
請求項１に記載の記録装置において、
前記カバー部は、前記ワイパーよりも前記液体に対する撥液性が高いことを特徴とする記録装置。
【請求項３】
請求項１又は２に記載の記録装置において、
前記カバー部は、前記ノズルから遠い側よりも前記ノズルに近い側のほうが前記液体に対する撥液性が高いことを特徴とする記録装置。
【請求項４】
請求項１から３のいずれか１項に記載の記録装置において、
前記ワイパーは、前記記録ヘッドの往復移動方向と交差する方向に延設されるブレードであることを特徴とする記録装置。
【請求項５】
請求項１から３のいずれか１項に記載の記録装置において、
前記ノズル形成面には、前記記録ヘッドの往復移動方向と交差する方向に前記ノズルが並べられ、
前記ワイパーは、前記記録ヘッドの往復移動方向と交差する方向にワイプ可能であることを特徴とする記録装置。
【請求項６】
請求項１から３のいずれか１項に記載の記録装置において、
前記ワイパーは、前記液体を吸収可能な材質で構成されていることを特徴とする記録装置。
【請求項７】
請求項１から６のいずれか１項に記載の記録装置において、
前記ワイパーは、前記記録ヘッドの往復移動に伴って前記カバー部をワイプ可能な位置から退避可能であることを特徴とする記録装置。
【請求項８】
請求項１から７のいずれか１項に記載の記録装置において、
前記記録ヘッドの往復移動方向における前記ノズル形成面の前記カバー部で覆われていない露出領域の長さに対する、前記カバー部における前記ノズル形成面を覆うカバー領域の厚みの比は、０．０２以上３．０以下であることを特徴とする記録装置。
【請求項９】
請求項８に記載の記録装置において、
前記露出領域の長さに対する、前記カバー領域の厚みの比は、０．５以上２．４以下であることを特徴とする記録装置。
【請求項１０】
請求項１から９のいずれか１項に記載の記録装置において、
前記被記録媒体を前記記録ヘッドの往復移動方向と交差する方向に搬送する搬送部を備え、
前記ワイパーは、前記搬送部による前記被記録媒体の搬送領域の、前記往復移動方向における端部に設けられることを特徴とする記録装置。
【請求項１１】
請求項１０に記載の記録装置において、
前記ワイパーは、前記搬送領域の、前記往復移動方向における両端部に設けられることを特徴とする記録装置。
【発明の詳細な説明】
【技術分野】
【０００１】
本発明は、記録装置に関する。
【背景技術】
【０００２】
従来から、被記録媒体に対して往復移動してノズルからインクなどの液体を吐出して記録する記録ヘッドを備える、記録装置が使用されている。このような記録装置においては、記録ヘッドから液体を吐出することに伴って発生するミストにより、記録品質が低下する場合がある。そこで、このようなミストをワイプするワイパーを備える記録装置が多く使用されている。  
例えば、特許文献１及び２には、ノズルが形成されるノズル形成面をワイプすることが可能なワイパーを備える記録装置が開示されている。
【先行技術文献】
【特許文献】
【０００３】
【特許文献１】特開平６−１１５０６５号公報
【特許文献２】特開２０１４−４６５０２号公報
【発明の概要】
【発明が解決しようとする課題】
【０００４】
しかしながら、ノズル形成面をワイプすると、ノズル形成面に付着したミストなどがノズルに押し込まれ、記録品質が低下する場合がある。そこで、このような記録品質の低下を抑制するためには、例え、記録中であっても、一旦記録動作を中断し、ノズルに押し込まれたミストなどを排出するクリーニング動作を実行する必要があった。  
このように、従来の記録装置は、記録ヘッドから液体を吐出することに伴って発生するミストにより記録品質が低下することを抑制するためには、記録速度を低下させなくてはならなかった。
【０００５】
そこで、本発明の目的は、記録速度を低下させることなく、記録ヘッドから液体を吐出することに伴って発生するミストにより記録品質が低下することを抑制することである。
【課題を解決するための手段】
【０００６】
上記課題を解決するための本発明の第１の態様の記録装置は、被記録媒体に対して往復移動してノズルから液体を吐出可能な記録ヘッドと、前記ノズルが形成されるノズル形成面における前記ノズルの非形成領域の少なくとも一部を覆うカバー部と、前記記録ヘッドの往復移動範囲に設けられ、前記記録ヘッドの往復移動に伴って前記ノズル形成面には非接触で前記カバー部をワイプ可能なワイパーと、を備えることを特徴とする。
【０００７】
本発明の第２の態様の記録装置は、前記第１の態様において、前記カバー部は、前記ワイパーよりも前記液体に対する撥液性が高いことを特徴とする。
【０００８】
本発明の第３の態様の記録装置は、前記第１又は第２の態様において、前記カバー部は、前記ノズルから遠い側よりも前記ノズルに近い側のほうが前記液体に対する撥液性が高いことを特徴とする。
【０００９】
本発明の第４の態様の記録装置は、前記第１から第３のいずれか１つの態様において、前記ワイパーは、前記記録ヘッドの往復移動方向と交差する方向に延設されるブレードであることを特徴とする。
【００１０】
本発明の第５の態様の記録装置は、前記第１から第３のいずれか１つの態様において、前記ノズル形成面には、前記記録ヘッドの往復移動方向と交差する方向に前記ノズルが並べられ、前記ワイパーは、前記記録ヘッドの往復移動方向と交差する方向にワイプ可能であることを特徴とする。
【００１１】
本発明の第６の態様の記録装置は、前記第１から第３のいずれか１つの態様において、前記ワイパーは、前記液体を吸収可能な材質で構成されていることを特徴とする。
【００１２】
本発明の第７の態様の記録装置は、前記第１から第６のいずれか１つの態様において、前記ワイパーは、前記記録ヘッドの往復移動に伴って前記カバー部をワイプ可能な位置から退避可能であることを特徴とする。
【００１３】
本発明の第８の態様の記録装置は、前記第１から第７のいずれか１つの態様において、前記記録ヘッドの往復移動方向における前記ノズル形成面の前記カバー部で覆われていない露出領域Ｒｏの長さに対する、前記カバー部における前記ノズル形成面を覆うカバー領域の厚みの比は、０．０２以上３．０以下であることを特徴とする。
【００１４】
本発明の第９の態様の記録装置は、前記第８の態様において、前記露出領域の長さに対する、前記カバー領域の厚みの比は、０．５以上２．４以下であることを特徴とする。
【００１５】
本発明の第１０の態様の記録装置は、前記第１から第９のいずれか１つの態様において、前記被記録媒体を前記記録ヘッドの往復移動方向と交差する方向に搬送する搬送部を備え、前記ワイパーは、前記搬送部による前記被記録媒体の搬送領域の、前記往復移動方向における端部に設けられることを特徴とする。
【００１６】
本発明の第１１の態様の記録装置は、前記第１０の態様において、前記ワイパーは、前記搬送領域の、前記往復移動方向における両端部に設けられることを特徴とする。
【発明の効果】
【００１７】
本発明によれば、記録速度を低下させることなく、記録ヘッドから液体を吐出することに伴って発生するミストにより記録品質が低下することを抑制することができる。
【図面の簡単な説明】
【００１８】
【図１】本発明の実施例１の記録装置を表す概略側面図。
【図２】本発明の実施例１の記録装置を表す概略正面図。
【図３】本発明の実施例１の記録装置を表す概略平面図。
【図４】本発明の実施例１の記録装置を表すブロック図。
【図５】本発明の実施例１の記録装置の要部を表す概略正面図。
【図６】本発明の実施例１の記録装置の要部を表す概略底面図。
【図７】本発明の実施例２の記録装置を表す概略平面図。
【図８】従来の記録装置の要部を表す概略正面図。
【発明を実施するための形態】
【００１９】
［実施例１］（図１〜図６）  
以下に、本発明の実施例に係る記録装置について、添付図面を参照して詳細に説明する。  
最初に、本発明の実施例１に係る記録装置１の概要について説明する。  
図１は、本実施例の記録装置１の概略側面図である。また、図２及び図３は、本実施例の記録装置１の要部であるワイパー１９が設けられた、被記録媒体Ｐの搬送機構３の周辺部分の概略図である。このうち、図２はその概略正面図であり、図３はその概略平面図である。
【００２０】
図１で表されるように、本実施例の記録装置１は、記録を行うための被記録媒体ＰのロールＲ１を繰り出すことが可能な繰出部２を備えている。また、粘着剤が付着された支持面Ｆで被記録媒体Ｐを支持する粘着性ベルト１０により被記録媒体Ｐを搬送方向Ａに搬送する搬送部としての搬送機構３を備えている。また、被記録媒体Ｐの搬送方向Ａと交差する往復移動方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００２１】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。
【００２２】
搬送機構３は、繰出部２から繰り出された被記録媒体Ｐを載置して搬送する粘着性ベルト１０と、粘着性ベルト１０を移動させる駆動ローラーとしての搬送ローラー８と、従動ローラー９とを備えている。被記録媒体Ｐは加圧ローラー１２により粘着性ベルト１０の支持面Ｆに加圧されて貼り付けられて載置される。なお、被記録媒体Ｐを搬送する際、搬送ローラー８は回転方向Ｃに回転し、粘着性ベルト１０は方向Ｅに移動する。  
ただし、搬送ベルトは粘着性ベルトに限定されない。例えば、静電吸着式の搬送ベルトを用いてもよい。
【００２３】
記録機構４は、ノズルＮ（図５及び図６参照）からインク（液体）を吐出可能な記録ヘッド７を備え、該記録ヘッド７を搭載するキャリッジを被記録媒体Ｐに対して往復移動方向Ｂに往復移動させるキャリッジモーター３０（図４参照）を有している。なお、図１において往復移動方向Ｂは紙面に対して垂直方向である。  
記録の際、記録ヘッド７を往復走査させて記録するが、記録走査中（記録ヘッド７の移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送（粘着性ベルト１０を間欠移動）させている。
【００２４】
また、図２及び図３で表されるように、搬送機構３による被記録媒体Ｐの搬送領域Ｒｃにおける記録ヘッド７による記録領域Ｒｐの、往復移動方向Ｂにおける両方の端部３５に、ワイパー１９が設けられている。  
詳細は後述するが、本実施例の記録装置１は、ワイパー１９により記録中に記録ヘッド７をワイプ可能な構成になっている。また、ワイパー１９は方向Ｄに移動可能であり、記録中に記録ヘッド７と接触しないように退避することも可能である。  
なお、図１から図３では不図示であるが、本実施例の記録装置１は、記録ヘッド７がホームポジションに位置しているときに該記録ヘッド７をメンテナンス可能な、キャップ、ワイパー、吸引機構等を備えたメンテナンス部を備えている。
【００２５】
粘着性ベルト１０の洗浄機構１５は、複数の洗浄ローラーが回転軸方向に連結されて構成された洗浄ブラシ１３と、洗浄ブラシ１３を洗浄するための洗浄剤が入ったトレイ１４と、を有する。
【００２６】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００２７】
なお、本実施例の記録装置１は、ロール状の被記録媒体Ｐを粘着性ベルト１０に支持させて搬送する記録装置であるが、このような構成の記録装置に限定されない。例えば、ロール状の被記録媒体Ｐのほか単票状の被記録媒体Ｐを、搬送部としてのローラー対で挟持して搬送可能な構成としてもよい。
【００２８】
次に、本実施例の記録装置１における電気的な構成について説明する。  
図４は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００２９】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２、巻取モーター３３及びワイパー移動モーター３４を駆動させるためのモーター駆動部２９と接続されている。  
ここで、キャリッジモーター３０は、記録ヘッド７を搭載したキャリッジを移動させるためのモーターである。また、搬送モーター３１は、搬送ローラー８を駆動するためのモーターである。また、繰出モーター３２は、回転軸５の回転機構であり、被記録媒体Ｐを搬送機構３に送り出すために回転軸５を駆動するモーターである。また、巻取モーター３３は、巻取軸１７を回転させるための駆動モーターである。そして、ワイパー移動モーター３４は、ワイパー１９を方向Ｄに移動するモーターである。
【００３０】
また、ＣＰＵ２４は、システムバス２５を介して、被記録媒体Ｐを切断するようカッター１６を駆動させるカッター駆動部３６と接続されている。  
さらに、ＣＰＵ２４は、システムバス２５を介して、入出力部３７と接続されており、入出力部３７は記録データ等を外部装置から入力するＰＣ３８と接続されている。
【００３１】
次に、本実施例の記録装置１の要部である記録ヘッド７の構成について説明する。  
図５は本実施例の記録ヘッド７を表す概略正面図であり、このうち、図５（Ａ）は記録ヘッド７がワイパー１９に接触していない状態を表しており、図５（Ｂ）は記録ヘッド７が往復移動方向Ｂのうちの方向Ｂ１に移動する際にワイパー１９に接触している状態を表している。また、図６は本実施例の記録ヘッド７を表す概略底面図である。  
なお、図８は、従来の記録ヘッド７を表す概略正面図であり、図５に対応している。このうち、図８（Ａ）は記録ヘッド７がワイパー１９に接触していない状態を表しており、図８（Ｂ）は記録ヘッド７がワイパー１９に接触している状態を表している。
【００３２】
図５及び図６で表されるように、本実施例の記録ヘッド７は、ノズルＮが形成されるノズルプレート２１と、ノズルプレート２１のノズル形成面２０におけるノズルＮの非形成領域Ｒｎの少なくとも一部を覆うカバー部２２と、を備えている。  
なお、「ノズル形成面２０におけるノズルＮの非形成領域Ｒｎ」とは、ノズル形成面２０においてノズルＮが形成されていない全ての領域を意味する。すなわち、上記について別の表現をすると、本実施例の記録ヘッド７は、ノズルＮが形成されるノズルプレート２１と、ノズルプレート２１のノズル形成面２０の少なくとも一部をノズルＮに対して接触することなく覆うカバー部２２と、を備えている。  
ここで、ワイパー１９は、記録ヘッド７の往復移動範囲Ｒｈに設けられており、図５（Ｂ）で表されるように、記録ヘッド７の往復移動に伴ってノズル形成面２０には非接触でカバー部２２をワイプ可能に構成されている。具体的には、記録ヘッド７の往復移動方向Ｂにおけるノズル形成面２０のカバー部２２で覆われていない露出領域Ｒｏの長さＬ１に対する、カバー部２２におけるノズル形成面２０を覆うカバー領域の厚みＬ２を、十分大きくすることで、ノズル形成面２０には非接触でカバー部２２をワイプ可能にしている。  
本実施例の記録装置１のように、ノズル形成面２０におけるノズルＮの非形成領域Ｒｎの少なくとも一部を覆うカバー部２２を備えることで、露出領域Ｒｏの面積が小さくなり、ノズル形成面２０にミストが付着することを抑制できる。また、記録ヘッド７の往復移動範囲Ｒｈにワイパー１９を設けることで、ノズル形成面２０に付着する代わりにカバー部２２に付着したミストを、記録ヘッド７の往復移動範囲Ｒｈに設けられるワイパー１９により、記録中であっても、ノズル形成面２０には非接触でワイプすることができる。  
このため、本実施例の記録装置１は、記録速度を低下させることなく、また、ノズル形成面２０に付着したミストなどがノズルＮに押し込まれることを抑制しつつ、カバー部２２をクリーニングすることができる。したがって、記録速度を低下させることなく、記録ヘッド７からインクを吐出することに伴って発生するミストにより記録品質が低下することを抑制することができる。
【００３３】
一方、図８で表されるように、従来の記録ヘッド７は、露出領域Ｒｏの長さＬ３に対するカバー領域の厚みＬ４が小さく、ノズル形成面２０には非接触でカバー部２２をワイプすることができなかった。このため、記録中にワイプをすると、カバー部２２やノズル形成面２０に付着したミストなどがノズルＮに押し込まれ、記録品質が低下する虞があった。
【００３４】
ここで、露出領域Ｒｏの長さＬ１に対するカバー領域の厚みＬ２の比は、０．０２以上３．０以下であることが望ましい。０．０２以上とすることで、ワイパー１９がノズル形成面２０に接触することを効果的に抑制できる。また、ノズル形成面２０から被記録媒体Ｐまでの距離は、記録品質の維持及びミスト発生の抑制のため短い距離に設定されているが、３．０以下とすることで、ノズル形成面２０から被記録媒体Ｐまでの距離が短い距離に設定されていてもカバー部２２と被記録媒体Ｐとの接触も抑制できる。  
さらには、露出領域Ｒｏの長さＬ１に対するカバー領域の厚みＬ２の比を０．５以上２．４以下とすることで、ワイパー１９がノズル形成面２０に接触しないようにワイプするクリーニングに加えて、ワイパー１９をノズル形成面２０に接触させてワイプするクリーニングとを、ワイパー１９の記録ヘッド７への接触圧力を変更することなどによって切り替えて行うことが可能である。このため、例えば、露出領域Ｒｏにおいてインクが固着してワイパー１９をノズル形成面２０に接触させてワイプするクリーニングを実行させたい場合等に簡単に対応することが可能になる。
【００３５】
なお、本実施例の記録装置１は、ブラック、シアン、マゼンタ及びイエローのインクを使用可能である。そして、本実施例の記録ヘッド７は、図６で表されるように、ブラック、シアン、マゼンタ及びイエローのインクに対応する各々同様の構成の記録ヘッド７ａ、７ｂ、７ｃ及び７ｄが、４つ往復移動方向Ｂに並べて構成されている。なお、図５は、記録ヘッド７ａ、７ｂ、７ｃ及び７ｄのうちの１つにおける部分側面断面図に相当している。  
ただし、このような構成に限定されず、例えば、複数のインクを吐出するノズル列を１つのノズルプレート２１に構成してもよい。
【００３６】
また、本実施例の記録装置１は、図１、図３及び図４で表されるように、被記録媒体Ｐを記録ヘッド７の往復移動方向Ｂと交差する搬送方向Ａに搬送する搬送機構３を備えている。そして、図３及び図４で表されるように、ワイパー１９は、搬送機構３による被記録媒体Ｐの搬送領域Ｒｃの、往復移動方向Ｂにおける端部３５に設けられている。すなわち、記録ヘッド７の往復移動範囲Ｒｈであって記録領域Ｒｐから外れた位置にワイパー１９が設けられていることとなり、記録動作を邪魔することなくカバー部２２をワイプすることができる構成になっている。
【００３７】
さらに詳細には、本実施例のワイパー１９は、搬送機構３による被記録媒体Ｐの搬送領域Ｒｃの、往復移動方向Ｂにおける両端部３５に設けられている。このため、記録動作を邪魔することなく、カバー部２２を、２つのワイパー１９により、効果的にワイプすることができる構成になっている。
【００３８】
また、上記のように、本実施例のワイパー１９は、制御部２３がワイパー移動モーター３４を制御することにより、記録動作中、記録ヘッド７の往復移動に伴ってカバー部２２をワイプ可能な位置から退避させることができる。すなわち、記録ヘッド７の毎回の往復移動毎にワイプする必要が無い場合に、必要な回数の往復移動毎にワイプすることができる。  
ワイパー１９とカバー部２２とが頻繁に接触すると、両者の劣化が早くなることが考えられるが、本実施例の記録装置１は、ワイパー１９とカバー部２２とが頻繁に接触することに伴う両者の劣化を抑制することができる構成になっている。
【００３９】
また、本実施例のカバー部２２は、ワイパー１９よりもインクに対する撥液性が高い部材で構成されている。すなわち、カバー部２２はワイパー１９よりもインクに対して濡れ難い。このため、ワイパー１９でカバー部２２をワイプすることに伴って、効率的に、カバー部２２からワイパー１９にインク（カバー部２２に付着したインクのミスト）を移動させることができる構成になっている。  
なお、カバー部２２をワイパー１９よりもインクに対する撥液性が高い構成にする手段に特に限定はなく、材料を変えて構成する手段のほか、表面処理を変えて構成する手段などとしてもよい。
【００４０】
また、本実施例のカバー部２２は、ノズルＮから遠い側よりもノズルＮに近い側のほうがインクに対する撥液性が高くなるように構成されている。このため、ノズルＮに近い側（ノズル形成面２０側の領域）からノズルＮから遠い側（側面側の領域）に向かってカバー部２２に付着したミストが移動しやすくなり、ノズルＮにミストが押し込まれることを効果的に抑制している。  
ここで、ノズルＮから遠い側よりもノズルＮに近い側のほうがインクに対する撥液性が高くなる構成には、カバー部２２の露出領域Ｒｏに面する厚みＬ２の断面がカバー部２２の他の表面よりも撥液性が高い構成も含まれる。  
なお、ノズルＮから遠い側よりもノズルＮに近い側のほうがインクに対する撥液性が高くなるように構成する手段に特に限定はなく、材料を変えて構成する手段のほか、表面処理を変えて構成する手段などとしてもよい。
【００４１】
なお、本実施例のワイパー１９は、カバー部２２（被ワイプ部材）に接触してミストを掻き取るブレードタイプのワイパーである。詳細には、ワイパー１９は、記録ヘッド７の往復移動方向Ｂと交差する方向に延設されるブレードである。このため、ワイパー１９の構成は簡単であり低コストである。しかしながら、このような構成のワイパーに限定されない。  
例えば、ワイパーとして、例えば布など、インクなどの液体を吸収可能な材質で構成されている液体吸収タイプのものを使用してもよい。このような構成のワイパーであれば、ワイパーを介してノズルにミストが押し込まれることを、ブレードタイプのワイパーよりもさらに効果的に抑制できる。
【００４２】
［実施例２］（図７）  
次に、本発明の実施例２に係る記録装置について説明する。  
図７は本発明の実施例２に係る記録装置１の要部であるワイパー１９が設けられた、被記録媒体Ｐの搬送機構３の周辺部分の概略図であり、実施例１の搬送機構３の周辺部分を表す図３に対応する図である。なお、上記実施例１と共通する構成部材は同じ符号で示しており、詳細な説明は省略する。  
本実施例の記録装置１は、ワイパー１９の構成のみが実施例１の記録装置１と相違する。
【００４３】
実施例１のワイパー１９は、搬送方向Ａに沿って延設されるブレードタイプのワイパーであった。  
一方、本実施例のワイパー１９は、図７で表されるように、往復移動方向Ｂに沿って延設されるブレードタイプのワイパーであって、搬送方向Ａに沿う方向である方向Ｇに移動可能に構成されている。そして、記録動作に伴って往復移動方向Ｂに移動する記録ヘッド７が、記録領域Ｒｐから外れ、減速及び停止して逆方向に移動し始めてから再び記録領域Ｒｐに位置するまでの間に、方向Ｇに移動して記録ヘッド７のカバー部２２をワイプすることが可能な構成になっている。
【００４４】
別の表現をすると、本実施例の記録装置１は、往復移動方向Ｂと交差する方向ＧにノズルＮが並べられたノズル形成面２０を有する記録ヘッド７と、ノズルＮが並べられる方向（即ちノズル列方向）Ｇに沿ってワイプ可能なワイパー１９と、を備えている。  
このように、ノズル列に沿ってワイプする構成とすることで、ノズル形成面２０のカバー部２２で覆われていない露出領域Ｒｏにおける長手方向とワイパー１９の長手方向とが交差するので、ワイパー１９が露出領域Ｒｏに入りにくくする構成としている。このように、露出領域Ｒｏにおける長手方向側からワイプする構成とすることで、ノズル形成面２０にワイパー１９が接触し難い構成としており、ノズルＮにミストが押し込まれにくい構成としている。
【００４５】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４６】
本発明の第１の態様の記録装置１は、被記録媒体Ｐに対して往復移動してノズルＮから液体を吐出可能な記録ヘッド７と、ノズルＮが形成されるノズル形成面２０におけるノズルＮの非形成領域Ｒｎの少なくとも一部を覆うカバー部２２と、記録ヘッド７の往復移動範囲Ｒｈに設けられ、記録ヘッド７の往復移動に伴ってノズル形成面２０には非接触でカバー部２２をワイプ可能なワイパー１９と、を備えることを特徴とする。
【００４７】
ここで、「ノズル形成面２０におけるノズルＮの非形成領域Ｒｎ」とは、ノズル形成面２０においてノズルＮが形成されていない全ての領域を意味する。  
本態様によれば、ノズル形成面２０におけるノズルの非形成領域Ｒｎの少なくとも一部を覆うカバー部２２を備えることでノズル形成面２０にミストが付着することを抑制できる。また、ノズル形成面２０に付着する代わりにカバー部２２に付着したミストを、記録ヘッド７の往復移動範囲Ｒｈに設けられるワイパー１９により、記録中であっても、ノズル形成面２０には非接触でワイプすることができる。このため、記録速度を低下させることなく、また、ノズル形成面２０に付着したミストなどがノズルＮに押し込まれることを抑制しつつカバー部２２をクリーニングすることができる。したがって、記録速度を低下させることなく、記録ヘッド７から液体を吐出することに伴って発生するミストにより記録品質が低下することを抑制することができる。
【００４８】
本発明の第２の態様の記録装置１は、前記第１の態様において、カバー部２２は、ワイパー１９よりも前記液体に対する撥液性が高いことを特徴とする。
【００４９】
本態様によれば、カバー部２２はワイパー１９よりも前記液体に対する撥液性が高い。すなわち、カバー部２２はワイパー１９よりも前記液体に対して濡れ難い。このため、ワイパー１９でカバー部２２をワイプすることに伴って、効率的に、カバー部２２からワイパー１９に前記液体（カバー部２２に付着したミスト）を移動させることができる。
【００５０】
本発明の第３の態様の記録装置１は、前記第１又は第２の態様において、カバー部２２は、ノズルＮから遠い側よりもノズルＮに近い側のほうが前記液体に対する撥液性が高いことを特徴とする。
【００５１】
本態様によれば、カバー部２２はノズルＮから遠い側よりもノズルＮに近い側のほうが前記液体に対する撥液性が高い。このため、ノズルＮに近い側からノズルＮから遠い側に向かってカバー部２２に付着したミストが移動しやすくなり、ノズルＮにミストが押し込まれることを効果的に抑制できる。
【００５２】
本発明の第４の態様の記録装置１は、前記第１から第３のいずれか１つの態様において、ワイパー１９は、記録ヘッド７の往復移動方向Ｂと交差する方向に延設されるブレードであることを特徴とする。
【００５３】
本態様によれば、ワイパー１９は、記録ヘッド７の往復移動方向Ｂと交差する方向に延設されるブレードである。このため、ワイパー１９を簡単に、低コストで構成できる。
【００５４】
本発明の第５の態様の記録装置１は、前記第１から第３のいずれか１つの態様において、ノズル形成面２０には、記録ヘッド７の往復移動方向Ｂと交差する方向ＧにノズルＮが並べられ、ワイパー１９は、ノズルＮが並べられる方向Ｇに沿ってワイプ可能であることを特徴とする。
【００５５】
本態様によれば、ノズル形成面２０には記録ヘッド７の往復移動方向Ｂと交差する方向ＧにノズルＮが並べられ、ワイパー１９はノズルＮが並べられる方向Ｇに沿ってワイプ可能である。すなわち、ノズル列に沿ってワイプ可能である。このような構成とすることで、ノズル形成面２０のカバー部２２で覆われていない露出領域Ｒｏにおける長手方向と交差する方向にワイパー１９でカバー部２２をワイプする構成（ノズル形成面２０にワイパー１９が接触し易い構成）を、容易に避けることができる。このため、ノズル形成面２０にワイパー１９が接触し難い構成とすることが容易にでき、ノズルＮにミストが押し込まれ難い構成とすることが容易になる。
【００５６】
本発明の第６の態様の記録装置１は、前記第１から第３のいずれか１つの態様において、ワイパー１９は、前記液体を吸収可能な材質で構成されていることを特徴とする。
【００５７】
本態様によれば、ワイパー１９は前記液体を吸収可能な材質で構成されている。このため、ワイパー１９を介してノズルＮにミストが押し込まれることを効果的に抑制できる。
【００５８】
本発明の第７の態様の記録装置１は、前記第１から第６のいずれか１つの態様において、ワイパー１９は、記録ヘッド７の往復移動に伴ってカバー部２２をワイプ可能な位置から退避可能であることを特徴とする。
【００５９】
本態様によれば、ワイパー１９は記録ヘッド７の往復移動に伴ってカバー部２２をワイプ可能な位置から退避可能である。このため、記録ヘッド７の毎回の往復移動毎にワイプする必要が無い場合に、必要な回数の往復移動毎にワイプすることができる。したがって、ワイパー１９とカバー部２２とが頻繁に接触することに伴う両者の劣化を抑制することができる。
【００６０】
本発明の第８の態様の記録装置１は、前記第１から第７のいずれか１つの態様において、記録ヘッド７の往復移動方向Ｂにおけるノズル形成面２０のカバー部２２で覆われていない露出領域Ｒｏの長さＬ１に対する、カバー部２２におけるノズル形成面２０を覆うカバー領域の厚みＬ２の比は、０．０２以上３．０以下であることを特徴とする。
【００６１】
本態様によれば、露出領域Ｒｏの長さＬ１に対するカバー領域の厚みＬ２の比は、０．０２以上３．０以下である。該比を０．０２以上とすることでワイパー１９がノズル形成面２０に接触することを効果的に抑制できる。また、該比を３．０以下とすることでノズル形成面２０から被記録媒体Ｐまでの距離が短い距離である場合におけるカバー部２２と被記録媒体Ｐとの接触を抑制できる。
【００６２】
本発明の第９の態様の記録装置１は、前記第８の態様において、露出領域Ｒｏの長さＬ１に対する、カバー領域の厚みＬ２の比は、０．５以上２．４以下であることを特徴とする。
【００６３】
本態様によれば、露出領域Ｒｏの長さＬ１に対するカバー領域の厚みＬ２の比を０．５以上２．４以下とすることで、ワイパー１９がノズル形成面２０に接触しないようにワイプするクリーニングに加えて、ワイパー１９をノズル形成面２０に接触させてワイプするクリーニングとを、ワイパー１９の記録ヘッド７への接触圧力を変更することなどによって切り替えて行うことなどが可能になる。このため、例えば、露出領域Ｒｏにおいて前記液体としてのインクが固着してワイパー１９をノズル形成面２０に接触させてワイプするクリーニングを実行させたい場合等に簡単に対応することが可能になる。
【００６４】
本発明の第１０の態様の記録装置１は、前記第１から第９のいずれか１つの態様において、被記録媒体Ｐを記録ヘッド７の往復移動方向Ｂと交差する方向Ａに搬送する搬送部３を備え、ワイパー１９は、搬送部３による被記録媒体Ｐの搬送領域Ｒｃの、往復移動方向Ｂにおける端部３５に設けられることを特徴とする。
【００６５】
本態様によれば、ワイパー１９は、搬送部３による被記録媒体Ｐの搬送領域Ｒｃの、往復移動方向Ｂにおける端部３５に設けられる。このため、記録動作を邪魔することなくカバー部２２をワイプすることができる。
【００６６】
本発明の第１１の態様の記録装置１は、前記第１０の態様において、ワイパー１９は、搬送領域Ｒｃの、往復移動方向Ｂにおける両端部３５に設けられることを特徴とする。
【００６７】
本態様によれば、ワイパー１９は、搬送部３による被記録媒体Ｐの搬送領域Ｒｃの、往復移動方向Ｂにおける両端部３５に設けられる。このため、記録動作を邪魔することなく、カバー部２２を、両端（２つ）のワイパー１９で効果的にワイプすることができる。  
上記実施例１のワイパー１９は、搬送方向Ａに沿って延設されていたが、搬送方向Ａに交差する方向に延設させることによって、露出領域Ｒｏの長手方向とワイパー１９の長手方向が交差する構成とすることも可能である。この場合にはワイパー１９が露出領域Ｒｏにより入りにくい構成とすることができ、ノズル形成面２０に付着したミストなどがノズルＮに押し込まれることを抑制しつつカバー部２２をクリーニングすることができる。  
上記実施例２ではワイパー１９の移動方向が搬送方向Ａに沿う方向である方向Ｇであり、ワイパー１９の長手方向が往復移動方向Ｂに沿う方向となっていたが、露出領域Ｒｏにおける長手方向とワイパー１９の長手方向とが交差する構成であれば、ワイパー１９が露出領域Ｒｏに入りにくくすることができ、ノズル形成面２０に付着したミストなどがノズルＮに押し込まれることを抑制しつつカバー部２２をクリーニングすることができる。たとえば、ワイパー１９の移動方向が搬送方向Ａおよび往復移動方向Ｂに交差する方向とする構成やワイパー１９の長手方向が往復移動方向Ｂと露出領域Ｒｏの長手方向と交差する方向とする構成であってもよく、ノズルＮが並べられる方向（即ちノズル列方向）Ｇに沿ってワイプ可能な構成とする必要はない。
【符号の説明】
【００６８】
１…記録装置、２…繰出部、３…搬送機構（搬送部）、４…記録機構、
５…繰出部２の回転軸、６…従動ローラー、７…記録ヘッド、８…搬送ローラー、
９…従動ローラー、１０…粘着性ベルト、１１…従動ローラー、１２…加圧ローラー、
１３…洗浄ブラシ、１４…トレイ、１５…洗浄機構、１６…カッター、１７…巻取軸、
１８…巻取機構、１９…ワイパー、２０…ノズル形成面、２１…ノズルプレート、
２２…カバー部、２３…制御部、２４…ＣＰＵ、２５…システムバス、２６…ＲＯＭ、
２７…ＲＡＭ、２８…ヘッド駆動部、２９…モーター駆動部、
３０…キャリッジモーター、３１…搬送モーター、３２…繰出モーター、
３３…巻取モーター、３４…ワイパー移動モーター、
３５…搬送領域Ｒｃの往復移動方向Ｂにおける端部、３６…カッター駆動部、
３７…入出力部、３８…ＰＣ、Ｆ…支持面、
Ｌ１…往復移動方向Ｂにおける露出領域Ｒｏの長さ、
Ｌ２…カバー部２２におけるカバー領域の厚み、
Ｌ３…往復移動方向Ｂにおける露出領域Ｒｏの長さ、
Ｌ４…カバー部２２におけるカバー領域の厚み、Ｎ…ノズル、Ｐ…被記録媒体、
Ｒ１…被記録媒体Ｐのロール、Ｒ２…被記録媒体Ｐのロール、
Ｒｃ…搬送機構３による被記録媒体Ｐの搬送領域、
Ｒｈ…記録ヘッド７の往復移動範囲、
Ｒｎ…ノズル形成面２０におけるノズルＮの非形成領域、
Ｒｏ…ノズル形成面２０のカバー部２２で覆われていない露出領域
【図１】
2016137649.tif 000003
【図２】
2016137649.tif 000004
【図３】
2016137649.tif 000005
【図４】
2016137649.tif 000006
【図５】
2016137649.tif 000007
【図６】
2016137649.tif 000008
【図７】
2016137649.tif 000009
【図８】
2016137649.tif 000010